(57)【要約】【課題】  外部から衝撃力が加わっても、カードが可動接触片から脱落せず、動作不能にならない電磁刑電気を提供することにある。【解決手段】  カード４０の内側面のうち、往復移動方向に直交する内側面に、係合用突起４６,４６を突設し、可動接触片３５の上端部に設けた係合孔３６に前記係合用突起４６,４６を係合する。一方、往復移動方向に平行な内側面に、前記カード４０が復帰方向に移動した場合に、可動接触片３５の上端部に当接可能な脱落防止用突部４４を突設した。【選択図】図１０
2005294162.tif 000002
【特許請求の範囲】
【請求項１】
ベースの上面片側に設けた電磁石部の励磁,消磁に基づいて回動する可動鉄片の上端部に枠状カードの一端部を係合する一方、その他端部を、前記ベースの残る上面片側に設けた接点機構部を形成する可動接触片の上端部に係合し、前記電磁石部の励磁,消磁に基づいて往復移動する前記カードで前記接点機構部を駆動し、接点を開閉する電磁継電器であって、
前記カードの内側面のうち、往復移動方向に直交する内側面に、少なくとも１つの係合用突起を突設し、前記可動接触片の上端部に設けた係合孔に前記係合用突起を係合する一方、往復移動方向に平行な内側面に、前記カードが復帰方向に移動した場合に、前記接点機構部の可動接触片の上端部に当接可能な脱落防止用突部を、突設したことを特徴とする電磁継電器。
【請求項２】
脱落防止用突部が、カードの対向する内側面に同一軸心上にそれぞれ突設したことを特徴とする請求項１に記載の電磁継電器。
【請求項３】
脱落防止用突部の下面が、カードの下面から突出していることを特徴とする請求項１または２に記載の電磁継電器。
【発明の詳細な説明】
【技術分野】
【０００１】
本発明は電磁継電器、特に、耐衝撃性に優れた電磁継電器に関する。
【背景技術】
【０００２】
従来、電磁継電器としては、ベースの上面片側に設けた電磁石部の励磁,消磁に基づいて回動する可動鉄片の上端部に枠状カードの一端部を係合する一方、その他端部を、前記ベースの残る上面片側に設けた接点機構部を形成する可動接触片の上端部に係合し、前記電磁石部の励磁,消磁に基づいて往復移動する前記カードで前記接点機構部を駆動し、接点を開閉する電磁継電器がある (特許文献１参照)。
【特許文献１】特開平４−３２２０２７号公報
【発明の開示】
【発明が解決しようとする課題】
【０００３】
しかしながら、前述の電磁継電器では、カードの往復移動方向に外部から衝撃力、特に、復帰方向の衝撃力が前記カードに負荷されると、可動接触片は弾性変形しやすいものであるので、可動接触片の係合孔からカードの係合用突起が抜け出やすく、カードが可動接触片から脱落して動作不能になるという問題点があった。
【０００４】
本発明は、前記問題点に鑑み、外部から衝撃力が加わっても、カードが可動接触片から脱落せず、動作不能にならない電磁継電器を提供することを目的とする。
【課題を解決するための手段および発明の効果】
【０００５】
本発明にかかる電磁継電器は、前記目的を達成すべく、ベースの上面片側に設けた電磁石部の励磁,消磁に基づいて回動する可動鉄片の上端部に枠状カードの一端部を係合する一方、その他端部を、前記ベースの残る上面片側に設けた接点機構部を形成する可動接触片の上端部に係合し、前記電磁石部の励磁,消磁に基づいて往復移動する前記カードで前記接点機構部を駆動し、接点を開閉する電磁継電器であって、
前記カードの内側面のうち、往復移動方向に直交する内側面に、少なくとも１つの係合用突起を突設し、前記可動接触片の上端部に設けた係合孔に前記係合用突起を係合する一方、往復移動方向に平行な内側面に、前記カードが復帰方向に移動した場合に、前記接点機構部の可動接触片の上端部に当接可能な脱落防止用突部を、突設した構成としてある。
【０００６】
本発明によれば、落下等によってカードに復帰方向の衝撃力が加わった場合に、可動接触片の上端部に脱落防止用突部が当接し、カードが位置規制される。このため、可動接触片の係合孔からカードの係合用突起が瞬間的に抜け出ることがあっても、カードの係合用突起が可動接触片の係合孔から大きく離れることがない。この結果、カードが完全に落下する前に元の係合状態に復帰できるので、カードが可動接触片から脱落することがない。なお、動作方向の衝撃力がカードに負荷された場合には、可動接触片の係合孔に少なくとも１つの係合用突起が係合しているので、カードが可動接触片から脱落することがなく、動作不能となることはない。
【０００７】
本発明の実施形態としては、脱落防止用突部が、カードの対向する内側面に同一軸心上にそれぞれ突設しておいてもよい。
【０００８】
本実施形態によれば、一対の脱落防止用突部が衝撃力を均等に受けるので、カードが傾いたりせず、可動接触片からより一層外れにくくなる。
【０００９】
本発明の他の実施形態としては、脱落防止用突部の下面が、カードの下面から突出していてもよい。
【００１０】
本実施形態によれば、前記脱落防止用突部が長くなり、可動接触片にカードを組み付ける際のガイドとして機能するので、組立性が向上するという効果がある。
【発明を実施するための最良の形態】
【００１１】
本発明にかかる電磁継電器の実施形態を図１ないし図１２の添付図面に従って説明する。
第１実施形態にかかる電磁継電器は、図１ないし図１１に示すように、ベース１０の上面片側に一体成形したスプール１３にコイル２０,鉄芯２２を組み付けて電磁石部１２を形成し、この電磁石部１２に回動可能に支持した可動鉄片２６で、前記ベース１０の残る上面片側に設けた接点機構部３９を、カード４０を介して駆動し、接点を開閉するようにしてある。
【００１２】
すなわち、前記ベース１０は、図２に示すように、ベース本体１１の上面片側にスプール１３を一体成形したものである。前記スプール１３は後述する鉄芯２２を挿入できる挿入溝１４を垂直方向に沿って形成してあるとともに、その基部に後述する可動鉄片２６の軸部２７を位置決めできる凹部１７を設けてある。さらに、前記スプール１３の上端部に設けた平面略Ｕ字形の鍔部１５は、その中間部に固定用突起１５ａを設けてあるとともに、その両端部に係止用爪部１５ｂ,１５ｂをそれぞれ形成してある。さらに、前記ベース本体１１の上面隅部には、コイル端子孔１６,１６がそれぞれ設けられている。一方、前記ベース本体１１の残る上面片側には、接点機構部３９を構成するための端子孔１８,１９がそれぞれ形成されている。
【００１３】
本実施形態によれば、鉄芯２２を組み付けるために従来例のような貫通孔をベース本体１１に設ける必要がないので、剛性が高く、熱変形しにくいベース１０が得られる。特に、スプール１３に側方に開口する挿入溝１４を設けてあるので、従来例のように薄肉の筒体を樹脂成形する必要がなく、成形性が容易になるという利点がある。
【００１４】
前記鉄芯２２は断面略Ｃ字形を有し、巾狭胴部２３の両端部に巾広の磁極部２４,２５をそれぞれ設けてある。前記磁極部２４,２５の両側端面には、位置決め用係合突起２４ａ,２５ｂを設けてある。
【００１５】
前記可動鉄片２６は正面略長方形の板状磁性材からなるものであり、その下端縁部を曲げ起こして回動用軸部２７を形成するとともに、その側端面の上部に係止用切り欠き部２８,２８がそれぞれ形成されている。
【００１６】
そして、図６および図７に示すように、ベース本体１１のコイル端子孔１６,１６にコイル端子２１,２１を下方から圧入するとともに、前記スプール１３の挿入溝１４に鉄芯２２の巾狭胴部２３を上方からスライドさせて挿入する。ただし、鉄芯２２は最終の位置決めポイントまでは押し下げない(図６Ａ)。そして、前記コイル端子２１,２１の上半部を折り曲げた状態で前記スプール１３にコイル２０を巻回し(図６Ｂ)、コイル２０の引き出し線を前記コイル端子２１,２１の上端部に絡げて半田付けした後、前記コイル端子２１,２１の上半部を曲げ起こす。ついで、前記ベース１０の位置決め用凹部１７に可動鉄片２６の軸部２７を落とし込んだ後(図７Ａ)、前記鉄芯２２を最終位置まで押し込むことにより、磁極部２４が前記可動鉄片２６の軸部２７を回動可能に支持しつつ、抜け止めする。これと同時に、磁極部２５の突起２５ａが鍔部１５の爪部１５ｂに係合する。そして、鍔部１５の固定用突起１５ａを熱カシメして鉄心２２を固定する(図７Ｂ)。なお、鉄芯２２の固定はシール材で行ってもよい。
【００１７】
本実施形態によれば、従来例のように鉄芯にヨークをカシメ固定する必要がないので、磁気特性が安定するとともに、煩雑なカシメ作業を省略できる。さらに、可動鉄片２６の軸部２７を鉄芯２２の磁極部２４で直接、回動可能に抜け止めするので、組立精度が高く、動作特性にバラツキが生じないという利点がある。
【００１８】
接点機構部３９は、固定接触片３０と可動接触片３５とからなり、前記固定接触片３０の上端部に固定接点３１がカシメ固定されている。一方、前記可動接触片３５の上端部隅部に係合孔３６,３６がそれぞれ形成されているとともに、前記係合孔３６,３６の下方側に可動接点３７がカシメ固定されている。そして、前記ベース本体１１の上面片側に設けた端子孔１８,１９に固定接触片３０および可動接触片３５をそれぞれ上方から圧入することにより、固定接点３１と可動接点３６とが接離可能に対向する。
【００１９】
カード４０は、図１および図１１に示すように、平面略長方形の枠体であり、その一端側は一対の腕部４１,４１に分かれている。前記腕部４１,４１の先端には鉄芯２２の巾広の磁極部２５に係合する爪部４２,４２が形成されている。さらに、前記腕部４１,４１の対向する内側面のうち、前記前記爪部４２,４２の近傍に位置する内側面に、前記可動鉄片２６の上端部に係合する一対の略Ｌ字形のリブ４３,４３が形成されている。前記リブ４３,４３は、前記腕部４１,４１の基部に一体形成した挾持用舌片４４とで、前記可動鉄片２６の上端部を挾持する。また、前記リブ４３,４３の基部には弾性係合用突起４５,４５が対向するように同一軸心上に設けられている。さらに、前記カード４０は、その他端側の内側面のうち、その短辺内側面に一対の係合用突起４６,４６を並設してあるとともに、その長辺内側面に脱落防止用突部４７,４７が同一軸心上にそれぞれ突設されている。そして、前記脱落防止用突部４７は、前記係合用突起４６向きの側面がテーパ面となっている(図１０Ｂ)。前記テーパ面は可動接触片３５にカード４０を組み付ける際のガイド面として機能するので、組立作業が容易になる。特に、前記脱落防止用突部４７の下端部を図１０Ｂにおいて点線で図示したように延在し、テーパ面を長くすれば、より一層組立性が向上するという利点がある。
【００２０】
可動接触片３５の係合孔３６にカード４０の係合用突起４６を係合する。ついで、可動鉄片２６の切り欠き部２８にカード４０の弾性係合用突起４５を係合し、可動鉄片２６の上端部をカード４０の一対のリブ４３,４３と挾持用舌片４４とで挾持することにより、前記カード４０が往復移動可能に支持される(図８)。このため、前記カード４０の爪部４２が鉄芯２２の磁極部２５に係合可能となる。さらに、前記脱落防止用突部４７,４７が、図１０Ｂに示すように、可動接触片３５の上端縁部に当接可能となる。例えば、本実施形態にかかる可動接触片３５の板厚は０.１５ｍｍであるのに対し、係合用突起４６の先端と脱落防止用突部４７の垂直面との水平方向の距離は０.３ｍｍであり、非常に狭い。この結果、落下等によって外部から衝撃力が加わり、可動接触片３５およびカード４０が振動し、カード４０の係合用突起４６が可動接触片３５の係合孔３６から瞬間的に抜け出ることがあっても、カード４０が完全に落下する前に再び元の係合状態に復帰するので、カード４０の脱落事故を防止できる。
【００２１】
ケース５０は、前記ベース１０に嵌合可能な箱形状であり、その天井面のうち、前記鉄芯２２の磁極部２５の直上に位置する部分に位置規制用突部５１を設けてある。さらに、前記ケース５０は天井面の隅部にガス抜き孔５２が設けられている。そして、前記ベース１０に嵌合することにより、前記位置規制用突部５１が鉄芯２２の磁極部２５に当接し、鉄芯２２の脱落やガタツキの発生を防止する。
【００２２】
前述の実施形態から明らかなように、本実施形態によれば、ベース１０に他の構成部品をすべて上方から組み付けることができ、作業性,生産性がより一層向上する。
【００２３】
前述の構成からなる電磁継電器は、前記コイル２０に電圧が印加されていない場合、可動接触片３５のばね力でカード４０が可動接触片３５側に付勢されている。このため、可動接点３７が固定接点３１から開離しているとともに、可動鉄片２６の上端部が鉄芯２２の磁極部２５から開離している。
そして、前記コイル２０に電圧を印加すると、鉄芯２２の磁極部２５が可動鉄片２６の上端部を吸引する。このため、可動接触片３５のばね力に抗し、可動鉄片２６が軸部２７を支点に回動するので、カード４０が電磁石部１２側に移動し、可動接点３７が固定接点３１に接触した後、可動鉄片２６が鉄芯２２の磁極部２５に吸着する。
ついで、前記コイル２０への電圧の印加を停止すると、可動接触片３５のばね力でカード４０が引っ張られ、可動鉄片２６が鉄芯２２の磁極部２５から開離した後、可動接点３７が固定接点３１から開離し、元の状態に復帰する。
【００２４】
本実施形態によれば、図１０Ｂに示すように、前記カード４０の一対の突起４６,４６が可動接触片３５の係合孔３６,３６から抜け出る方向に衝撃力が加わっても、脱落防止用突部４７,４７が可動接触片３５の上端縁部に当接して位置規制される。このため、カード４０の係合用突起４６が可動接触片３５の係合孔３６から瞬間的に抜け出ることがあっても、両者が大きく離れることがないので、カード４０が大きく落下する前に元の係合状態に復帰し、カード４０が可動接触片３５から脱落しないという利点がある。
【００２５】
また、本実施形態では、脱落防止用突部４７,４７の下面がカード４０の下面と面一となる場合について説明した。しかし、既述したように、図１０Ｂに示すように、脱落防止用突部４７,４７の下面をカード４０の下面から突出させておいてもよい。このように前記脱落防止用突部４７の下端部を長くし、テーパ面を長くすれば、前記テーパ面が可動接触片３５にカード４０を組み付ける際のガイド面として利用できるので、組立性がより一層向上するという利点がある。
【００２６】
第２実施形態は、図１２に示すように、基本的構造は前述の第１実施形態と同様である。異なる点は鉄芯２２および可動鉄片２６がいずれも略Ｌ字形を有している点である。特に、磁気効率を上げるため、可動鉄片２６の上端縁部は下方に折れ曲がった屈曲部２９を有し、鉄芯２２の磁極部２５と広い面積で対向している。他は前述の第１実施形態と同様であるので、同一部分に同一番号を付して説明を省略する。
【産業上の利用可能性】
【００２７】
本発明は、異なる接点機構部を有する電磁継電器に適用してもよい。
【図面の簡単な説明】
【００２８】
【図１】本発明にかかる電磁継電器の第１実施形態を示す分解斜視図である。
【図２】図１で示したベースの拡大斜視図である。
【図３】図２のベースに内部構成部品の一部を組み付けた状態を示す斜視図である。
【図４】図３のベースにカードを組み付けた状態を示す斜視図である。
【図５】図４のベースにケースを組み付けた状態を示す部分破断斜視図である。
【図６】第１実施形態にかかる電磁継電器の組立工程を示す断面図である。
【図７】図６に続く電磁継電器の組立工程を示す断面図である。
【図８】図８Ａ,図８Ｂは、ベースに内部構成部品を組み付けた状態を示す平面図、正面断面図である。
【図９】組立完了後の電磁継電器を示す正面断面図である。
【図１０】本発明にかかる電磁継電器の要部拡大図である。
【図１１】図１で示したカードを異なる角度から見た場合の拡大斜視図である。
【図１２】本発明にかかる電磁継電器の第２実施形態を示す正面断面図である。
【符号の説明】
【００２９】
１０：ベース
１１：ベース本体
１２：電磁石部
１３：スプール
１４：挿入溝
１５：鍔部
１５ａ：固定用突起
１６：コイル端子孔
１７：凹部
１８,１９：端子孔
２０：コイル
２１：コイル端子
２２：鉄芯
２３：巾狭胴部
２４,２５：磁極部
２６：可動鉄片
２７：軸部
３０：固定接触片
３１：固定接点
３５：可動接触片
３６：係合孔
３７：可動接点
３９：接点機構部
４０：カード
４１：腕部
４２：爪部
４３：リブ
４４：挾持用舌片
４５：弾性係合用突起
４６：係合用突起
４７：脱落防止用突部
５０：ケース
５１：位置規制用突部
５２：ガス抜き孔
【図１】
2005294162.tif 000003
【図２】
2005294162.tif 000004
【図３】
2005294162.tif 000005
【図４】
2005294162.tif 000006
【図５】
2005294162.tif 000007
【図６】
2005294162.tif 000008
【図７】
2005294162.tif 000009
【図８】
2005294162.tif 000010
【図９】
2005294162.tif 000011
【図１０】
2005294162.tif 000012
【図１１】
2005294162.tif 000013
【図１２】
2005294162.tif 000014